(57)【要約】【課題】ボトルを横置きし箱側面に連設の保持部を折り込めば定置して、見栄えをよくし、閉蓋してそのまま全周に緩衝空隙を維持させた安全な輸送箱となる。【解決手段】底面２に四側面３〜６、蓋面８を連設した箱本体１の対向二側面に、直角に内折れするブランク部１４と中間位置まで垂下する上側支持片１５を連設し、前者は中間部に収納物天端又は底端が位置する大きさとし、後者は下辺部に収納物を上側から押さえる凹欠部１６ａ，ｂを形成し、箱本体内に中枠２０と下枠３０からなる中部材を収め、中枠は脚片２２〜２５で箱内中間に支持される横面２１に収納物形の開口部２６を形成し、下枠３０は立設した下側支持片３２の上辺側に開口部内に位置する凹欠部３３ａ，ｂを形成し、上側支持片を折り込むことにより両凹欠部が上下対向するようにした。【選択図】図９
2007326589.tif 000002
【特許請求の範囲】
【請求項１】
瓶などの収納物の外周に空隙を維持した状態で収納物を横置きに収納可能な箱であって、底面の四辺に折れ線を介して四側面及び蓋面を延設して箱本体とし、その対向二側面にはそれぞれ収納物の上側保持部を形成し、この上側保持部は、底面から立設する外側面と、直角に内折れするブランク部と、箱中間部まで垂下する上側支持片とを順次折れ線を介して連設した構成とし、上記ブランク部は長さ方向中間部に収納物天端又は底端が位置する長さを有して形成し、上記上側支持片は収納物を上側から押さえる凹欠部を下辺側に設けて形成し、箱本体の内部には中部材を配設し、この中部材は、箱内の上下中間部に配置される横面内に収納物に略々沿う形状の開口部を設けるとともに、脚片を兼ねる下側支持片を立設し、この下側支持片は上記上側支持片と上下対向状に収納物を下側から支持する凹欠部を上辺側に設けた構成を有して形成してなり、箱本体内に中部材を配設し、これに収納物を載置した上で、上側保持部を折り込んで収納物の上側を保持し、蓋面を開閉させるようにしてなる構成を有する化粧兼用輸送箱。
【請求項２】
中部材は中枠と下枠の組合せとし、中枠は箱内の上下中間部に配置される横面内に収納物に略々沿う形状の開口部を設けるとともに、横面から垂下する脚片を折れ線を介して連設して形成し、下枠は箱の底面に沿う内底片から立設する下側支持片を折れ線を介して連設し、この下側支持片は中枠脚片と交差係合するとともに、上側支持片と上下対向状に収納物を下側から支持する凹欠部を上辺側に設けた構成を有して形成してなる請求項１に記載の化粧兼用輸送箱。
【請求項３】
上側支持片の下辺部に、下側支持片への係止片を形成してなる構成を有する請求項１又は２に記載の化粧兼用輸送箱。
【請求項４】
横面内に設けた開口部の収納物両側乃至天地側に折れ線を介して自由端のフラップを連設してなる請求項１〜３のいずれかに記載の化粧兼用輸送箱。
【請求項５】
箱の四側面間に二つ折り状に折込み可能な連設片を形成し、蓋面を連設した側面と対向する側面を折返し側面として形成し、該折返し側面両側の連設片を該折返し側面内に挟着するようにした構成を有する請求項１〜４のいずれかに記載の化粧兼用輸送箱。
【発明の詳細な説明】
【技術分野】
【０００１】
本発明は、割れやすい瓶などの収納物を開蓋状態で見栄えよく収納でき、閉蓋状態で安全に輸送に供することができる化粧兼用輸送箱に関する。
【背景技術】
【０００２】
瓶などを収納する一般的な包装は、発泡プラスチックなどの緩衝材を箱内に詰めるか、紙箱を立体的に折り曲げて箱自体で支持させる方法が採られている。いずれであっても仕切った容器内に瓶を縦に収納するものが多いが、瓶を縦に収納してしまうと瓶の外周を見ることができないので、見栄えのある収納にはならない。これに対して瓶を横向きに収納すれば、上蓋を開いたときに瓶を全体的に見ることができて好ましい。特許文献１、２などに横向きが示されている。
【特許文献１】特開平１０−２４９６３号公報
【特許文献２】実用新案登録第３０９５０８５号公報
【発明の開示】
【発明が解決しようとする課題】
【０００３】
しかしながら、両文献ともに瓶受け部を設けた緩衝材を容器内に収納し、これに瓶を載置して閉蓋するもので、閉蓋した状態において閉蓋側の瓶を緩衝保護できない。瓶口乃至瓶底付近を差し込む円孔を側壁に形成する構成も示されているが、これだと、箱を組み立て緩衝材を収納した後から瓶を差し込むには容器を変形させる外ない。瓶を緩衝材に保持させた上で両者を一体として容器内に収納することになるが、収納、取出ともに不便であり、しかも閉蓋側の瓶の緩衝性がやはり確保され難いなど、問題点が大きい。
【０００４】
本発明は、上記のような問題を生じさせることがなく、組み立てた箱内にワイン、酒、その他の瓶などの収納物を横向きに置き、箱側面に連設した保持部を折り込むだけで、箱内に収納物を定置させることができると同時に、開蓋状態において収納物を見栄えよく見せることができる化粧性ある箱として機能し、閉蓋したときに閉蓋側も含めて収納物の四側、天地側など全周に緩衝空隙を維持させた安全な運搬用箱となる化粧兼用輸送箱を提供せんとするものである。
【課題を解決するための手段】
【０００５】
上記課題を解決するために、本発明は、瓶などの収納物の外周に空隙を維持した状態で収納物を横置きに収納可能な箱であって、底面の四辺に折れ線を介して四側面及び蓋面を延設して箱本体とし、その対向二側面にはそれぞれ収納物の上側保持部を形成し、この上側保持部は、底面から立設する外側面と、直角に内折れするブランク部と、箱中間部まで垂下する上側支持片とを順次折れ線を介して連設した構成とし、上記ブランク部は長さ方向中間部に収納物天端又は底端が位置する長さを有して形成し、上記上側支持片は収納物を上側から押さえる凹欠部を下辺側に設けて形成し、箱本体の内部には中部材を配設し、この中部材は、箱内の上下中間部に配置される横面内に収納物に略々沿う形状の開口部を設けるとともに、脚片を兼ねる下側支持片を立設し、この下側支持片は上記上側支持片と上下対向状に収納物を下側から支持する凹欠部を上辺側に設けた構成を有して形成してなり、箱本体内に中部材を配設し、これに収納物を載置した上で、上側保持部を折り込んで収納物の上側を保持し、蓋面を開閉させるようにして、化粧兼用輸送箱を構成したことを特徴とする。
【０００６】
中部材は中枠と下枠の組合せとし、中枠は箱内の上下中間部に配置される横面内に収納物に略々沿う形状の開口部を設けるとともに、横面から垂下する脚片を折れ線を介して連設して形成し、下枠は箱の底面に沿う内底片から立設する下側支持片を折れ線を介して連設し、この下側支持片は中枠脚片と交差係合するとともに、上側支持片と上下対向状に収納物を下側から支持する凹欠部を上辺側に設けた構成を有して形成したものとすることができる。
【０００７】
上記上側支持片の下辺部には、下側支持片への係止片を形成するのが好ましい。
また、横面内に設けた開口部の収納物両側乃至天地側に折れ線を介して自由端のフラップを連設することができる。
さらに、箱の四側面間に二つ折り状に折込み可能な連設片を形成し、蓋面を連設した側面と対向する側面を折返し側面として形成し、該折返し側面両側の連設片を該折返し側面内に挟着するように形成することができる。
【発明の効果】
【０００８】
本発明によれば、打ち抜いた平坦な紙体を折れ線によって組立て解体ができる簡便かつ簡明な箱を提供でき、組立て状態の箱において、瓶などの収納物を収め、箱本体のブランク部と上側支持片を有する上側保持部を折り込んで両側に被せるだけで、収納物は開口部内において上下の凹欠部に支持固定され、上側も含めて全周に空隙による緩衝部を保って箱内に宙吊り状態で固定されることになり、閉蓋すればそのまま輸送箱となり、振動やあらゆる角度からの衝撃を緩衝し、収納物の損傷を防止できる箱となる。しかもブランク部は収納物を空隙を維持して保持すると同時に蓋が接面できるので、閉蓋状態を安定させることができる。開蓋すれば、瓶などの収納物は横置き状態で定置されているので、ラベルを含めて胴部の略全体を外観視でき、見栄えのよい化粧性のある箱となることができる。収納物の収納、取り出しは、箱本体の上側保持部を軽く外す簡潔な操作のみで円滑に行なうことができて便利である。
【０００９】
上側支持片に設けた係止片は、上側保持部を折り込むと同時にこの拡開を阻止して係止状態を維持するのに役立つ。横面の開口部にフラップが設けてあれば、収納物の緩衝効果を補助する。箱の四側面間に連設片を形成してあれば、組み立てた箱の保形と補強を補助する。
【発明を実施するための最良の形態】
【００１０】
以下、本発明の一実施形態を図面によって説明する。
本発明の箱は、箱本体内に中部材を組み込んでなるものであり、図１〜３は箱本体を、図４，５は中部材の中枠２０を、図６，７は中部材の下枠３０を示し、図８〜１０はそれらの組み合わせ状態を、図１１，１２は組み立てた箱の切断面をそれぞれ示してある。
なお、図はワイン、酒或いはジュースなどのボトルを２本収納できる状態で例示してあるが、本数は１本以上で任意本数を収納する形とすることができ、ボトル以外の形態のものとすることもでき、その他の部分的構成は適宜設計変更可能であり、図示の例に本発明が制約されるものではない。
【００１１】
箱本体１、中部材の中枠２０、下枠３０は、いずれも折れ線部で折曲自由でありながら、保形性の高い硬質紙、好ましくは段ボール紙を打ち抜き加工したものとしてある。
箱本体１は、１枚の段ボール紙を打ち抜いて形成し、底面２の四辺に谷折れ線（箱内側に向かって折り込まれる線）７を介して、箱の四側面３，４，５，６を連設し、一側面４の外側には谷折れ線７を介して蓋面８を連設してある。仮に蓋面８を連設した側面を背面４とした場合、対向側面を正面３、他の対向二側面を左右側面５，６とする。
【００１２】
蓋面８の自由端の辺中央部には蓋止着用突片９を突設してある。正面３の外側には該正面よりは高さの短い内折れ面１０を延設し、その間に２本の谷折れ線７，７を介して段ボール紙の肉厚分よりやや広め幅の縁面１１を介在させ、縁面１１の中央部に上記蓋止着用突片９を差込んで係止可能な開口１２を打ち抜き形成してある。また、内折れ面１０の左右側辺の先端部には係止突片１３を形成してある。
【００１３】
左右側面５，６の外側にはそれぞれ、上側保持部を形成するブランク部１４と上側支持片１５とを順次谷折れ線７，７を介して連設してある。各ブランク部１４は、連設方向の長さを、ボトルの天端（キャップ天端）又は地端（底端）が中間部に位置し、上側支持片１５と後述する下枠３０の下側支持片３２とが上下対向して位置し得るような長さに設定してあり、上側支持片１５は、その下辺側（先端辺内）に略半円形状の凹欠部１６ａ，１６ａ又は１６ｂ，１６ｂを形成し、下辺側の両端部に係止片１７，１７を突設してある。上記一方の上側支持片１５に並設した凹欠部１６ａ，１６ａは若干間隔を置いて横置きに並置したボトルの口部付近の首部の上半部を保持可能な大きさ形状とし、他方の上側支持片１５に並設した凹欠部１６ｂ，１６ｂは上記ボトルの底部近くの胴部の上半部を保持可能な大きさ形状として形成してある。上側支持片１５の内側の谷折れ線７と凹欠部１６ａ乃至１６ｂの凹底部との間には適当な空隙１８が保たれている。
【００１４】
隣接する四側面３，４，５，６の各間には、中央に形成した山折れ線７ａで二つ折り可能な連設片１９を谷折れ線７，７を介して連設してあり、例えば上記四側面を垂直状に立設したときに、正面３の両側の連設片１９，１９は正面３の内側に、背面４の両側のそれは背面４の内側にそれぞれ折り込まれて重合するように形成してあり、正面側は正面３と内折れ面１０との間に挟着される。
また、上記左右側面５，６の正面側辺沿いには前記係止突片１３を係合可能な係合孔１３ａを打ち抜き形成してあり、内折れ面１０を正面３の内面側に折り込んだ状態において折り込み状態を係止できるようにしてある。
【００１５】
中枠２０は、１枚の段ボール紙を打ち抜いて形成し、水平面となる横面２１の四辺に山折れ線（箱の底方乃至外側に向かって折り込まれる線）７ａを介して垂下する脚片２２，２３，２４，２５を連設して形成してある。横面２１は、その左右幅を組立状態の箱本体１内ほぼ一杯に収まる長さとし、前後幅を箱本体内の正背面両内側に適度な空隙が保たれるようにして収まる長さとしてあり、面内には若干間隔を置いて横置きに並置したボトルの輪郭形に略合致する形状の収納物用開口部２６を打ち抜き形成し、開口部２６の正背面側（ボトル胴側）と左右側面側（ボトル天地側）に若干の空隙２７を維持させ、開口部の胴部側面から開口内に向かって山折れ線７ａで折曲自由なフラップ２８，２８を連設し、開口の天端と地端からも同様のフラップ２８，２８を連設してある。
【００１６】
上記脚片２２〜２５はいずれも下枠３０の凹欠部３３ａ又は３３ｂの最大深さ分よりも高く、箱本体の内高の略半分程度の高さを有するように形成し、正背面側の脚片２２，２３の左右寄り部位であって、開口部２６のボトル首部位置とボトル底部近くの胴部位置に合致する位置に、下枠係合用スリット２９，２９を形成してある。
【００１７】
下枠３０は、１枚の段ボール紙を打ち抜いて形成し、底面２の内側に接面する内底面３１を、その前後幅が底面２の内側幅と略合致する長さとし、左右幅が組み立てた箱本体の上側支持片１５，１５間の距離相当分すなわち横置きしたボトルの口部付近の首部からボトルの底部近くの胴部間の距離相当分の長さとなる大きさに形成し、上記内底面３１の左右に谷折れ線７、７を介して立設する下側支持片３２，３２を連設し、この下側支持片は、各外側辺内に略半円形状の凹欠部３３ａ，３３ａ又は３３ｂ，３３ｂを形成し、外側辺の前後両端寄り部に前記スリット２９に噛合して脚片２２，２３と係合するスリット３４，３４を形成し、中央部に脚片３５と係合するスリット３６を形成してある。
【００１８】
上記凹欠部３３ａ，３３ａは若干間隔を置いて横置きに並置したボトルの口部付近の首部の下半部を保持可能な形状とし、上側支持片１５の凹欠部１６aと上下対向状に位置するように形成し、凹欠部３３ｂ、３３ｂはボトルの底部近くの胴部の下半部を保持可能な形状とし、凹欠部１６ｂと上下対向状に位置するように形成してある。
上記脚片３５は、中枠の脚片２２乃至２５と同高さとなる高さを有し、横面２１の左右幅分に略合致する長さを有し、下枠のスリット３６に噛合して下側支持片３２、３２に係合するスリット３５ａ、３５ａを形成してあり、中枠２０の中央部を下側から支持できるようにしてある。
【００１９】
上記構成を有する箱の組み立ては次のとおりであるが、組み立て手順はこの説明に限定されるものではなく、他の順序としてもよい。
先ず、箱本体１は、図２，３に示す如く、四側面３〜６を折れ線を介して立設し、連設片１９を二つ折りに折り込み、内折れ面１０を正面３内側に折り込んで連設片１９を挟着しつつ、係止突片１３を係合孔１３ａに係止して固定させ、左右の上側保持部の各ブランク部１４、上側支持片１５を内折れさせればよい。蓋面８は折れ線を介して開閉自在とし、閉蓋時に突片９を開口１２内に差込み係止することができる。
【００２０】
中枠２０は、図５の如く脚片２２〜２５を折れ線を介して垂下させ、一方、下枠３０は、図７の如く左右の各下側支持片３２を折れ線を介して立設し、中央のスリット３６，３６を利用して脚片３５を係止させておいて、図８に示す如く、中枠２０の脚片２２，２３のスリット２９，２９と、下枠３０の下枠支持片３２，３２のスリット３４，３４を利用して中枠２０と下枠３０を組み合わせる。
【００２１】
而して、図９〜１２に示す如く、下枠３０を組み合わせた中枠２０を、組み立てた箱本体１内に配置すると、がたつきなく収まり、横面２１が箱本体内の上下中間部位に位置することになる。こうして、開口部２６にボトルを横置きに収めれば、ボトルは下側を下側支持片３２，３２の凹欠部３３ａ，３３ｂに支持され、前後左右を開口部２６の周縁に支持され、併せて前後左右をフラップ２８に保持されて定置する。その上で、ブランク部１４、上側支持片１５を直角に折り込み、各係止片１７を中枠２０の前後外側に突出した下側支持片３２の両端部の外側（箱の左右外向き面側）に差し込むように係止すれば、上側保持部は定置し、ボトルは上側も上側支持片１５の凹欠部１６ａ，１６ｂに支持され、ボトルの四周及び上下に空隙を保ち、蓋面８を閉じることによって全体が固定されることになる。
【図面の簡単な説明】
【００２２】
【図１】本発明に係る箱本体の展開内側面図である。
【図２】箱本体の組立て過程を示す斜視図である。
【図３】同じく箱本体の組立て過程を示す一部切欠斜視図である。
【図４】中枠の展開上面図である。
【図５】中枠の組立て状態を示す斜視図である。
【図６】下枠の展開上面図である。
【図７】下枠の組立て状態を示す斜視図である。
【図８】中枠と下枠を組み合わせた状態を示す斜視図である。
【図９】箱本体に中枠と下枠を組み込んだ状態を示す斜視図である。
【図１０】組み立てた箱の開蓋状態を示す斜視図である。
【図１１】図１０のＸＩ−ＸＩ断面略図である。
【図１２】図１０のＸＩＩ−ＸＩＩ断面略図である。
【符号の説明】
【００２３】
１  箱本体、          ２  底面、        ３〜６  側面、        ７  谷折れ線、
７ａ山折れ線、        ８  蓋面、        ９  突片、            １０内折れ面、
１１縁面、            １２開口、        １３係止突片、        １３ａ係合孔、
１４ブランク部、      １５上側支持片、          １６ａ，１６ｂ凹欠部、
１７係止片、          １８空隙、        １９連設片、          ２０中枠、
２１横面、          ２２〜２５脚片、    ２６開口部、          ２７空隙、
２８フラップ、        ２９スリット、        ３０下枠、        ３１内底面、
３２下側支持片、      ３３ａ，３３ｂ凹欠部、      ３４スリット、
３５脚片、            ３５ａスリット、            ３６スリット。
【図１】
2007326589.tif 000003
【図２】
2007326589.tif 000004
【図３】
2007326589.tif 000005
【図４】
2007326589.tif 000006
【図５】
2007326589.tif 000007
【図６】
2007326589.tif 000008
【図７】
2007326589.tif 000009
【図８】
2007326589.tif 000010
【図９】
2007326589.tif 000011
【図１０】
2007326589.tif 000012
【図１１】
2007326589.tif 000013
【図１２】
2007326589.tif 000014